(57)【要約】      （修正有）【課題】缶の底面と下向き電極タブとの間の電気接続の信頼性を高めることができる二次電池とその形成方法の提供。【解決手段】電極タブ２７，２９が形成された２つの電極２５、及び２つの電極２５の間に介在されるセパレータ２１，２３を有する電極組立体２０と、電極組立体２０を収容する缶１０と、缶１０の開口部でガスケット３０を介在して缶１０を覆うキャップアセンブリ８０と、を備える二次電池において、電極タブ２７，２９のうちの一つが缶１０内で折り曲げられながら、缶１０の内面と少なくとも２つのポイントで溶接されることを特徴とする二次電池の構造。溶接は缶１０の底面で行われてもよく、電極タブ２７，２９は、二次電池内で２回以上折り曲げられるものであってもよい。【選択図】図１
2006310285.tif 000002
【特許請求の範囲】
【請求項１】
電極タブが形成された２つの電極、及び前記２つの電極の間に介在されて前記２つの電極の間の短絡を防止するセパレータを有する電極組立体と、
前記電極組立体を収容する容器状缶と、
前記缶の開口部でガスケットを介在して前記缶を覆うキャップアセンブリと、を備える二次電池において、
前記電極タブのうちの一つが、前記缶の内面に溶接され、少なくとも１回折り曲げられるように形成されることを特徴とする二次電池。
【請求項２】
前記缶の内面に溶接される前記電極タブは、前記缶内で２回以上折り曲げられることを特徴とする請求項１に記載の二次電池。
【請求項３】
前記缶の内面に溶接される前記電極タブは、前記電極組立体の下端から下方に取り出されて上方に折り曲げられ、前記缶の上部から下方に折り曲げられた後、前記缶の内面内面と溶接されることを特徴とする請求項２に記載の二次電池。
【請求項４】
前記缶の内面に溶接される前記電極タブは、互いに離隔された少なくとも２つのポイントで溶接されることを特徴とする請求項１に記載の二次電池。
【請求項５】
前記缶は、円筒形からなることを特徴とする請求項１に記載の二次電池。
【請求項６】
電極タブが形成された２つの電極、及び前記２つの電極の間に介在されて前記２つの電極の間の短絡を防止するセパレータを有する電極組立体と、
前記電極組立体を収容する容器状缶と、
前記缶の開口部でガスケットを介在して前記缶を覆うキャップアセンブリと、を備える二次電池において、
前記電極タブのうちの一つが、前記缶の内面で互いに離隔された少なくとも２つのポイントで溶接されることを特徴とする二次電池。
【請求項７】
前記電極タブは、前記缶内で少なくとも２回折り曲げられるように形成されることを特徴とする請求項６に記載の二次電池。
【請求項８】
前記電極タブのうちの一つは、前記缶の底面と平行に折り曲げられた末端部を有し、前記末端部の離隔された複数個のポイントで前記缶の底面と溶接されることを特徴とする請求項６に記載の二次電池。
【請求項９】
前記缶の底面と溶接される電極タブの、前記缶の側面と前記電極組立体の側面との間にある部分の長さは、前記缶の内面の長さよりも長く、前記缶の内面の長さの２倍よりも短いことを特徴とする請求項８に記載の二次電池。
【請求項１０】
電極タブが形成された２つの電極、及び前記２つの電極の間に介在されて前記２つの電極の間の短絡を防止するセパレータを有する電極組立体と、前記電極組立体を収容する容器状缶と、前記缶の開口部でガスケットを介在して前記缶を覆うキャップアセンブリと、を備える二次電池の形成方法において、
前記缶に前記電極タブのうちの一つを引き込ませ、前記電極組立体本体は前記缶の外部に位置させた状態で、引き込まれた前記電極タブを缶の内側に２ポイント以上溶接させる段階と、
溶接された前記電極タブを折り曲げて、前記電極タブのすべてを含む前記電極組立体全体を前記缶に引き込ませる段階と、を備えてなることを特徴とする二次電池の形成方法。
【請求項１１】
前記溶接させる段階と、前記電極組立体全体を引き込ませる段階との間には、下絶縁板を設ける段階が更に含まれることを特徴とする請求項１０に記載の二次電池の形成方法。
【請求項１２】
前記溶接は、抵抗溶接であることを特徴とする請求項１０に記載の二次電池の形成方法。
【発明の詳細な説明】
【技術分野】
【０００１】
本発明は、二次電池に関し、より詳細には、二次電池でのタブと缶との結合構造及びその形成方法に関する。
【背景技術】
【０００２】
二次電池は、再充電が可能であり、小型及び大容量化が可能であるという利点から、近年にその開発が急速になされ、使用も急速に増加しつつある。二次電池は、電極活物質によって、ニッケル−水素（Ｎｉ−ＭＨ）電池とリチウムイオン（Ｌｉ−ｉｏｎ）電池などに分けられる。
【０００３】
リチウム二次電池の場合、電解質の種類によって、液体電解質を使用する場合と、固体ポリマー電解質、あるいは、ゲル状の電解質を使用する場合とに分けられる。リチウム二次電池は、更に、電極組立体が収容される容器の形態によって、缶状とパウチ状とに分けられる。
【０００４】
缶状のリチウム二次電池では、電極組立体が、アルミニウム含有金属などの金属で深絞りなどの方法を通じて形成した缶に組み込まれる。通常、缶状の二次電池の構造では、液体電解質を使用することになる。
【０００５】
一方、缶状の二次電池は、形態によって、角形と円筒形との電池に分けられる。角形は、容器を直方体状に、あるいは、直方体の側壁角に曲率を与えて薄く成形したものである。円筒形は、比較的大容量の電子電気機器に多く使用され、複数個が結合されて電池パックを形成する形態で多く使用される。
【０００６】
図１及び図２は、従来の円筒形リチウム二次電池の一例に対する構造を示す正断面図及び分解斜視図である。
【０００７】
図１及び図２を参照して、円筒形二次電池の形成方法を見てみると、まず、矩形の板状に形成された２つの電極２５と、これらの電極の間に介在されて２つの電極の間の短絡を防止するセパレータ２１、２３とが積層され、渦状に巻き取られてゼリー・ロールと通称される電極組立体２０を成す。各電極板は、金属箔からなる集電体に活物質のスラリーが塗布されてなる。
【０００８】
電極板が巻かれる方向で、集電体の始端と終端とには、スラリーが塗布されない無地部が存在する。無地部には、一電極板に、通常、一つずつ電極タブ２７、２９が設けられる。電極タブ２７、２９は、円筒形の缶１０と、缶１０から絶縁されたキャップアセンブリ８０に電気的に接続されて、充放電時に、電極組立体と外部回路とを連結するための通路の一部を形成する。電極組立体２０において電極タブは、一つが円筒形の缶１０の開口部方向である上方に、もう一つが、下方に電極から取り出されるように形成される。
【０００９】
電極組立体は、上下に位置する上、下絶縁板１３ａ、１３ｂと順に缶の開口部を介して円筒形の缶１０に投入される。電極組立体の缶内での移動を防ぐためのビードが缶に形成され、電解液が注入される。缶の開口部の内面に絶縁ガスケット３０が設けられ、ガスケット３０の内側に缶１０の開口部を覆うキャップアセンブリ８０が設けられる。
【００１０】
キャップアセンブリ８０として、ベントアセンブリ、ＰＴＣ（正温度係数：Ｐｏｓｉｔｉｖｅ  Ｔｈｅｒｍａｌ  Ｃｏｅｆｆｉｃｉｅｎｔ）エレメント６０、及び電極端子を持ったキャップアップ７０が挿入される。ベントアセンブリは、通常、下側のベント４０と、ベントの作用により破断され、電流の経路を切る電流遮断器（ＣＩＤ：Ｃｕｒｒｅｎｔ  Ｉｎｔｅｒｒｕｐｔ  Ｄｅｖｉｃｅ）５０を備えてなる。
【００１１】
そして、ガスケット３０の内側に挿入されたキャップアップ７０を栓として使用し、円筒形の缶１０の開口部の壁体に内側方向及び下方向の圧力を加えて缶をシールするクランプ作業が行われる。また、電池の外部に外装材を施すチュービング（Ｔｕｂｉｎｇ）作業が行われる。
【００１２】
このような過程において、電極タブの連結を見てみると、電極組立体の電極タブのうち、下方に伸びたものは、下絶縁板を介在させた状態で缶の底面に溶接され、また、上方に伸びたものは、上絶縁板のホールを介して、キャップアセンブリのベントに概ね溶接される。
【００１３】
上方に取り出される上向き電極タブ２７とベント４０の凹部４２とを溶接するためには、溶接作業が便利なように、電極タブ２７は、余分の長さを持つように形成される。そして、電極タブが折り曲げられながら、ベントアセンブリは、ガスケット３０が嵌め込まれた缶の上側開口部に挿入される。このような工程は、ベントアセンブリと電極組立体２０との間に、工程の便宜のための僅かの空間を必要とする。
【００１４】
上向き電極タブが長くなり過ぎると、溶接後、タブの処理が困難であるので、作業性のある範囲内において上向き電極タブの長さを決める。溶接後、上向き電極タブの残りの部分が、キャップ組立体と電極組立体との間の空間に蛇行するように位置されることができ、上絶縁板は、上向き電極タブと電極組立体の他極性との短絡を防止する役割を果たせる。
【００１５】
電極組立体２０の巻取のための中空には、図２のようなセンターピン１８を設けることができる。
【００１６】
下向き電極タブ２９の溶接の場合、図３に部分的に示された断面図から分かるように、電極組立体２０が缶１０に引き込まれた後、電極組立体２０の中心の空スペースを通じて溶接棒１１５を入れ、電極タブ２９を缶１０の底面に密着させた状態で、溶接棒に電流を流入して抵抗溶接を実施する。電極タブと缶との間には、溶接棒１１５の先細部が当接する部位に溶接点２９１が形成される。ところが、電極組立体の中心の小さい空間に溶接棒を入れて溶接を行う関係から、溶接棒を動かしながら溶接をしにくく、溶接点２９１が一つである１ポイント溶接をすることになる。
【００１７】
ところが、電極組立体の電極タブが、安全ベントや缶と溶接される際に、溶接が相当な強度で行われなければならない。溶接が十分に行われなかった場合には、電極タブと安全ベントあるいは缶との間の電気的接続は、表面接触によって行われやすい。表面接触による電気的接続は、接触抵抗を発生させ、この接触抵抗は、溶接されたものに比べて大きな抵抗値を持つ。したがって、電池の内部抵抗が増加し、充放電効率が低下してしまうという問題がある。
【００１８】
特に、缶の底面での１ポイント溶接の場合、引張力に抵抗する強度は、一定の基準を満足しやすいが、内部で電極組立体が回転するようになる場合、溶接点が中心側にあり一つだけあるため、回転に対抗する力は非常に弱い。したがって、電池の使用中でも溶接が外れて、内部抵抗が急激に増加してしまうという現象が生じ得る。そして、このような現象は、電極組立体が缶の内部で回転しやすい円筒形電池の場合に主として問題となる。
【発明の開示】
【発明が解決しようとする課題】
【００１９】
本発明は、前述した従来の二次電池の問題点を解決するためのもので、缶の底面と下向き電極タブとの間の電気的接続の信頼性を高めることのできる二次電池及びその形成方法を提供することを目的とする。
【００２０】
本発明は、缶の底面と下向き電極タブとの間の溶接の強度を高め、接続部の内部抵抗を低く保持して、充放電効率と放電量を高めることのできる二次電池及びその形成方法を提供することを目的とする。
【課題を解決するための手段】
【００２１】
前記目的を達成するための本発明の二次電池は、電極タブが形成された２つの電極、及び前記２つの電極の間に介在されて前記２つの電極の間の短絡を防止するセパレータを有する電極組立体と、電極組立体を収容する容器状缶と、前記缶の開口部でガスケットを介在して前記缶を覆うキャップアセンブリと、を備える二次電池において、前記電極タブのうちの一つは、缶内で少なくとも１回折り曲げられ、缶の内面と少なくとも１つのポイントで溶接されることを特徴とする。
【００２２】
本発明において、缶と溶接される電極タブは、互いに離隔された２以上のポイントで溶接されることが望ましく、缶の底面で溶接されるか、または、缶の内面で溶接されてもよい。
【００２３】
本発明において、缶の底面と溶接される電極タブは、二次電池内において２回以上折り曲げられてもよい。もし、本発明において、電極タブのうち、缶の底面と溶接される一つは、電極組立体の下端から取り出されて上部に折り曲げられ、前記缶の上部から下部に折り曲げられた後、前記電極組立体の下端で再び折り曲げられて、前記缶の底面と少なくとも２つのポイントで溶接されてもよい。この時、電極タブが折り曲げられる缶の上部は、缶の内面の長さを基準にして中間以上の部分を意味し、折り曲げが行われる部分は、缶の上端であってもよい。
【００２４】
本発明において、缶の底面と溶接される電極タブにおいて、底面と接する部分、あるいは、底面と平行な部分以外の部分の長さが、缶の側面と電極組立体の側面との間にあるタブ部分の長さと等しいとすると、この部分の電極タブの長さは、缶の長さよりも長く、缶の長さの２倍よりも短いことが望ましい。この時、電極タブが、底面と平行に形成される部分なしに缶の側面と溶接される場合、電極組立体の下方に取り出される電極タブの長さが缶の長さよりも長く、缶の長さの２倍よりも短くてもよい。
【００２５】
前記目的を達成するための本発明の方法は、電池の形成方法において、缶に電極組立体の一つのタブを引き込ませ、電極組立体本体は引き込ませない状態で、電極タブを缶に２ポイント以上溶接させる段階と、電極タブを曲げて電極組立体を缶に引き込ませる段階と、を備えてなることを特徴とする。
【００２６】
本発明の方法において、通常、電極タブの溶接後には、下絶縁板を缶の底部に設けて、電極組立体を引き込ませるようになる。
【発明の効果】
【００２７】
本発明によれば、二次電池において缶の底面と下向き電極タブとの間の溶接の強度を高めることができ、電気接続部の抵抗を低く保持して、全体の内部抵抗を下げ、充放電効率と放電量とを高めることができる。
【００２８】
特に、外部衝撃などにより電極組立体が回転して、缶の底面と下向き電極タブとの間の溶接が外れることで、電池の使用中に内部抵抗が急激に上昇してしまうという問題を防止して、二次電池の信頼性を高めることができる。
【発明を実施するための最良の形態】
【００２９】
以下、図面を参照しながら、実施形態に基づいて本発明をより詳細に見てみるとする。
【００３０】
図４は本発明の一実施形態によって、電極組立体の電極タブが缶に溶接され、電極タブが折り曲げられ、電極組立体が缶に挿入される過程を示す工程断面図、図５は本発明の一実施形態によって、電極組立体の電極タブが缶に溶接され、電極タブが折り曲げられ、電極組立体が缶に挿入される過程を示す工程断面図、図６は本発明の一実施形態によって、電極組立体の電極タブが缶に溶接され、電極タブが折り曲げられ、電極組立体が缶に挿入される過程を示す工程断面図である。
【００３１】
まず、本発明の二次電池の形成過程を見てみると、従来のように矩形の板状に形成された２つの電極が積層され、渦状に巻き取られてゼリー・ロール状電極組立体を形成する。この時、これらの電極の間、及び２つの電極の下側あるいは上側には、セパレータが一つずつ位置するので、重なって巻き取られる２つの電極が当接する部分には、いずれにおいてセパレータが介在されて短絡が防止される。
【００３２】
各電極板は、アルミニウムや銅からなる金属箔、あるいは、金属メッシュからなる集電体に、活物質スラリーが塗布されてなる。スラリーは、通常、粒状の活物質と補助導体及びバインダー並びに可塑剤などが、溶媒が添加された状態で撹拌されてなる。溶媒は、後の電極形成工程で除去される。
【００３３】
電極板が巻かれる方向の、集電体の始端と終端とには、スラリーが塗布されない無地部が存在する。無地部には、一電極板に一つずつ電極タブが設けられ、電極タブは、一つが円筒形の缶の開口部方向である上方に、もう一つが下方に電極から取り出されるように形成される。
【００３４】
缶は、円筒形に、鉄材、アルミニウム合金などを用いて深絞り方法などで形成される。次いで、図４乃至図６のように、電極タブ１２９の溶接を含んで、電極組立体１２０と缶１０とを結合させる段階が行われる。
【００３５】
図を参照して、この過程を更に見てみると、図４のように、まず、電極タブ１２７、１２９が上下方に取り出される電極組立体１２０と、これを収容する円筒形の缶１０とが用意される。電極組立体において、下方に取り出される電極タブ１２９は、電極組立体１２０の最外郭部で電極と連結され、電極と連結される端部以外の他端部は、電極組立体が引き込まれていない状態で、缶の内面の上端部の一部分に平行な状態に溶接点１４９で２ポイント以上強固に溶接される。
【００３６】
この時、図４のように、まず、下絶縁板１１３ｂが缶１０の底面に設けられることも可能である。図５のように、電極タブ１２９を折り曲げた状態で、電極組立体１２０を缶１０の内部に挿入する。つまり、図６のように、電極タブ１２９は、一部の区間で重なった状態で、電極組立体１２０と缶１０の内面との間の空間に置かれるようになる。電極組立体と缶との間に空間がある製品の場合、重なった状態の電極タブが、電極組立体を缶の内部で移動しないように支持する役割を果たすこともできる。
【００３７】
図示していないが、他の実施形態によれば、下向き電極タブは、一部分で折り曲げられ、缶の内面に平行な部分と缶の底面に平行な末端部分とに分けられる。缶の内面に平行な部分は、缶の内面の長さの約１．５倍程度の長さを有し、缶の底面に平行な末端部分は、円筒形の缶の底面の径とほぼ同じ径を有する。缶の底面と溶接される電極タブの、缶の側面と電極組立体の側面との間にある部分の長さは、缶の内面の長さよりも長く、缶の内面の長さの２倍よりも短いことが好ましい。
【００３８】
電極タブの缶の底面に平行な末端部分を、まず、缶の内部に引き込ませて缶の底面と当接するようにする。そして、缶の底面と当接する電極タブの末端部分には、少なくとも離隔された２箇所で溶接を行う。従来では、缶の底面の中心部のみに溶接が行われたが、本実施形態では、缶の底面の中心を基準にして両側に対称的に溶接を行うか、または、一定の間隔で複数の箇所に溶接を行うことができる。このような溶接には、レーザー溶接や超音波溶接も可能であり、電極タブの材質によっては単純に抵抗溶接を行うこともできる。この時、電極組立体本体は缶の内部に収容されていない状態であるので、電極組立体が溶接を妨げることがなくなる。
【００３９】
そして、下向き電極タブと缶との間の溶接が行われると、電極組立体が缶に挿入される前に下絶縁板が設けられる。下絶縁板は、電極組立体と電極タブ、あるいは、電極組立体と缶の底面の電気的接続による２つの電極の短絡を防止する役割を果たす。
【００４０】
そして、電極組立体を缶の内部に引き込ませるようにする。電極組立体の下端から取り出された電極タブは、缶の壁体よりも長く形成されるので、電極組立体が完全に缶内に収容されるためには、電極タブは、一部折り曲げられて重なることになる。この時、下方に取り出される電極タブの部分を上方に折り曲げると、電極タブの溶接された末端が下側にあるので、上方に折り曲げられた部分以後のある部分から、電極タブは再び下方に折り曲げられる。このように折り曲げられた状態で、電極タブは、全体が缶の内部に収容される。収容された状態で再び下方に折り曲げられる部分は、ほぼ缶の中間位置の上側にあるようになる。
【００４１】
この時、末端部を除いた電極タブの長さが缶の壁体よりも小さいと、電極組立体の一部が缶の内部に入り、電極タブの末端部と缶の底面との間の溶接を妨げることがあり得るので、缶の壁体よりも長く形成する。
【００４２】
図７は、本発明の他の実施形態によって、電極組立体が缶と結合された態様を示す部分断面図である。
【００４３】
図７のように、電極タブ１２９の末端は、缶の内面の中間部分の溶接点１４９で２箇所以上溶接され得る。このような場合、電極タブ１２９の長さは、必ずしも缶１０の内面の長さよりも長く形成される必要はない。すなわち、このような場合、電極タブ１２９が缶１０の中間部分の内面に溶接されることもでき、電極タブは、溶接時に、電極組立体１２０が缶１０に入らないようにできる長さ、及び電極組立体の収容時に、溶接部と電極組立体の下端との間の長さよりも長く形成させるだけで済ますことができる。
【００４４】
その後、電極組立体を缶に入れた後、上絶縁板を電極組立体の上に設ける。上絶縁板のホールを介して上向き電極タブを上方に取り出し、缶の内面の一部を外側から内側に押し付けて、電極組立体の移動を防止するように変形させるビーディングを実施する。
【００４５】
電極組立体が設けられた缶には、電解質溶液が投入される。缶の上部の開口部には、缶の内面と当接するようにガスケットが挿入される。ガスケットの内側にキャップアセンブリが設けられる。従来の技術を参照しながら、本実施形態におけるキャップアセンブリの構成を見ると、最下側には、中央部で下方に膨らんで突出する接続部を有するベントが位置する。ベントの上側には、ベントの電気接続部が内部の圧力によって上方に膨らんで変形されながら破断されるようになった電流遮断器（ＣＩＤ：Ｃｕｒｒｅｎｔ  Ｉｎｔｅｒｒｕｐｔ  Ｄｅｖｉｃｅ）が設けられる。電流遮断器と連結されるようにＰＴＣ（Ｐｏｓｉｔｉｖｅ  Ｔｈｅｒｍａｌ  Ｃｏｅｆｆｉｃｉｅｎｔ）エレメントが設けられる。ＰＴＣエレメントは、電池の過熱によって電池内の電流の流れを遮断する。ＰＴＣエレメントの上側には、外部に電気的に接続されるように膨らんで形成された電極端子が形成されたキャップアップ（Ｃａｐ  ｕｐ）が設けられる。ＰＴＣエレメントに代えて、あるいは、ＰＴＣエレメントの上側には、別の保護回路基板が形成されてもよい。
【００４６】
キャップアセンブリの設置のために、まず、ガスケットの設置後、安全ベントの下方に突出された接続部には、上向き電極タブが溶接される。溶接は、また２箇所以上で離隔して行い、溶接強度を高めて、電極組立体が内部で回転される際でも耐えられるようにする。
【００４７】
ガスケットの内側にキャップアセンブリを成す各部分が順に挿入されるか、または、組み合わされて挿入されると、クランプ作業が行われる。後の工程で、外部に外装材を施すチュービング（Ｔｕｂｉｎｇ）作業が行われる。
【００４８】
図８は、本発明の更に他の実施形態であって、電極組立体の中心空間にセンターピン１５０が設けられた場合を示す断面図である。図示しているように、電極組立体の中央の空間を介して溶接をしなくて済むので、下絶縁板１１３ｂの中心は、ホールが形成されていなくてもよい。従来では、センターピンを設ける場合、通常、抵抗溶接後にセンターピンを挿入しなければならず、センターピンを利用して抵抗溶接を行う場合には、センターピンも必ず金属からなる必要があった。しかし、本発明のように、先に下向き電極タブを溶接して電極組立体を缶に収容する場合、センターピンに係る制限は、問題とならなくなる。
【図面の簡単な説明】
【００４９】
【図１】従来の円筒形二次電池の一例に対する構造を示す正断面図である。
【図２】従来の円筒形二次電池の一例に対する構造を示す分解斜視図である。
【図３】従来の円筒形二次電池において、電極タブが缶の底面に溶接される形態を示す工程断面図である。
【図４】本発明の一実施形態によって、電極組立体の電極タブが缶に溶接され、電極タブが折り曲げられ、電極組立体が缶に挿入される過程を示す工程断面図である。
【図５】本発明の一実施形態によって、電極組立体の電極タブが缶に溶接され、電極タブが折り曲げられ、電極組立体が缶に挿入される過程を示す工程断面図である。
【図６】本発明の一実施形態によって、電極組立体の電極タブが缶に溶接され、電極タブが折り曲げられ、電極組立体が缶に挿入される過程を示す工程断面図である。
【図７】本発明の他の実施形態によって、電極組立体が缶と結合された態様を示す部分断面図である。
【図８】本発明の他の実施形態によって、電極組立体が缶と結合された態様を示す部分断面図である。
【符号の説明】
【００５０】
１０    缶、
１３ａ、１３ｂ、１１３ａ、１１３ｂ    絶縁板、
２０    電極組立体、
２１、２３    セパレータ、
２５    電極、
２７、２９、１２７、１２９    電極タブ、
３０    ガスケット、
４０    ベント、
５０    ＣＩＤ（Ｃｕｒｒｅｎｔ  Ｉｎｔｅｒｒｕｐｔ  Ｄｅｖｉｃｅ）、
６０    ＰＴＣ（Ｐｏｓｉｔｉｖｅ  Ｔｈｅｒｍａｌ  Ｃｏｅｆｆｉｃｉｅｎｔ）エレメント、
７０    キャップアップ（Ｃａｐ  ｕｐ）、
８０    キャップアセンブリ、
１４９    溶接点、
１１５    溶接棒。
【図１】
2006310285.tif 000003
【図２】
2006310285.tif 000004
【図３】
2006310285.tif 000005
【図４】
2006310285.tif 000006
【図５】
2006310285.tif 000007
【図６】
2006310285.tif 000008
【図７】
2006310285.tif 000009
【図８】
2006310285.tif 000010